(57)【要約】【課題】災害時に家屋の一部が落下する瓦礫から身を守り、且つ水害時に安定したボートに早変わりさせて緊急避難を容易に行う。【解決手段】ボート兼用シェルタベッド１は、少なくとも１名が横臥できる大きさのマット部材５と、このマット部材５の幅方向の下部の両側に設けられ、平面視にて矩形形状で遠心された脚部７と、この両側の脚部７の間で前記マット部材５の下面に設けた舟型形状の浮力部９と、前記マット部材５の上方を覆うと共にこのマット部材５の上方を開放すべく移動自在に設けたシェルタ部１１と、から構成されていることを特徴とする。【選択図】  図１
2007222320.tif 000002
【特許請求の範囲】
【請求項１】
少なくとも１名が横臥できる大きさのマット部材と、このマット部材の幅方向の下部の両側に設けられ、平面視にて矩形形状で上下方向へ延伸された脚部と、この両側の脚部の間で前記マット部材の下面に設けた舟型形状の浮力部と、前記マット部材の上方を覆うと共にこのマット部材の上方を開放すべく移動自在に設けたシェルタ部と、を備えていることを特徴とするボート兼用シェルタベッド。
【請求項２】
前記シェルタ部が山形を形成する２つの平板状をなす分割屋根部材で構成されると共に、前記各脚部に前記分割屋根部材を収納するシェルタ収納部を設け、且つ前記分割屋根部材が前記シェルタ収納部の内部と、山形に形成される分割屋根部材の停止位置との間を移動自在に設けられていることを特徴とする請求項１記載のボート兼用シェルタベッド。
【請求項３】
前記シェルタ部が半割筒形状をなし、この半割形状の一側縁側を前記ベッド本体の一方の脚部の側縁にヒンジ部を介して開閉自在に設けていることを特徴とする請求項１記載のボート兼用シェルタベッド。
【請求項４】
前記シェルタ部が半割筒形状をなすと共に、このシェルタ部をその半割筒形状の一側辺側から挿入して収納するシェルタ収納部を前記浮力部の下側に設け、且つ前記シェルタ部が前記シェルタ収納部の内部と前記マット部材の上方を覆う位置との間を移動自在に設けられていることを特徴とする請求項１記載のボート兼用シェルタベッド。
【請求項５】
前記浮力部の後部にボート用のスクリュー並びに方向舵を備えていることを特徴とする請求項１，２，３又は４記載のボート兼用シェルタベッド。
【発明の詳細な説明】
【技術分野】
【０００１】
この発明は、ボート兼用シェルタベッドに関し、特に災害時に家屋の一部が落下する瓦礫から身を守り、且つ家屋の浸水などの水害から緊急避難するためのボート兼用シェルタベッドに関する。
【背景技術】
【０００２】
従来、地震や洪水などのために緊急避難する際に、通常に使用されているベッドを緊急避難用のベッドに早変わりするものが開発されている。
【０００３】
例えば、特許文献１の震災避難用シェルタ付ベッドは、例えば２トンの積載強度を持つベッド架台の内部に人が避難できるシェルタを設けたものである。このシェルタ内には水、食料、懐中電灯などの避難生活必需品を収容する引き出し収容区間が設けられている。
【０００４】
また、特許文献２の救難ボート兼用の応急ベッドは、通常はベッドとして用いられるマット部材が発泡樹脂材料から構成され、このマット部材に折り畳み構造の小屋部材が取り付けられる構成である。小屋部材は、少なくとも一対の屋根面と屋根面の両端を支持する略三角形の一対の妻面とを有して前記マット部材を取り囲む折り畳み構造である。すなわち、水害時に家屋が浸水したときは浮力の大きいマット部材により少なくとも１名を水面に浮かせることができ、例えば病人や身体障害者を避難させることができる。また、避難期間が長期化する場合はマット部材に小屋部材を取り付けることによりプライバシーを確保することができる。
【特許文献１】特開平８−２９４４３０号公報
【特許文献２】特開２００２−８５１９７号公報
【発明の開示】
【発明が解決しようとする課題】
【０００５】
ところで、従来の特許文献１においては、地震等の災害時に家屋の一部が落下する瓦礫から身を守るために、ベッド架台内に設けたシェルタに身を隠すものであるので、健康体の人は直ぐに動けるが、身体障害者や病人は動くことができないために避難できないという問題点があった。
【０００６】
また、従来の特許文献２においては、地震等の災害時に瓦礫から身を守ることができないという問題点があった。さらに、水害時に家屋が浸水したときはマット部材により例えば病人や身体障害者を容易に避難させることができる効果があるが、平板状であるので水面に浮かんだときの安定性が欠けると共に進むときに水の抵抗力を大きく受ける構造であるので推進性に欠けるという問題点があった。また、他の人が前記マット部材を引っ張っていく必要があるので、例えば他の人が水に浸りながらマット部材を移動させることは容易ではないという問題点があった。
【０００７】
この発明は上述の課題を解決するためになされたものである。
【課題を解決するための手段】
【０００８】
上記発明が解決使用とする課題を達成するために、この発明のボート兼用シェルタベッドは、少なくとも１名が横臥できる大きさのマット部材と、このマット部材の幅方向の下部の両側に設けられ、平面視にて矩形形状で上下方向へ延伸された脚部と、この両側の脚部の間で前記マット部材の下面に設けた舟型形状の浮力部と、前記マット部材の上方を覆うと共にこのマット部材の上方を開放すべく移動自在に設けたシェルタ部と、を備えていることを特徴とするものである。
【０００９】
この発明のボート兼用シェルタベッドは、前記ボート兼用シェルタベッドにおいて、前記シェルタ部が山形を形成する２つの平板状をなす分割屋根部材で構成されると共に、前記各脚部に前記分割屋根部材を収納するシェルタ収納部を設け、且つ前記分割屋根部材が前記シェルタ収納部の内部と、山形に形成される分割屋根部材の停止位置との間を移動自在に設けられていることが好ましい。
【００１０】
この発明のボート兼用シェルタベッドは、前記ボート兼用シェルタベッドにおいて、前記シェルタ部が半割筒形状をなし、この半割形状の一側縁側を前記ベッド本体の一方の脚部の側縁にヒンジ部を介して開閉自在に設けていることが好ましい。
【００１１】
この発明のボート兼用シェルタベッドは、前記ボート兼用シェルタベッドにおいて、こ前記シェルタ部が半割筒形状をなすと共に、このシェルタ部をその半割筒形状の一側辺側から挿入して収納するシェルタ収納部を前記浮力部の下側に設け、且つ前記シェルタ部が前記シェルタ収納部の内部と前記マット部材の上方を覆う位置との間を移動自在に設けられているとが好ましい。
【００１２】
この発明のボート兼用シェルタベッドは、前記ボート兼用シェルタベッドにおいて、前記浮力部の後部にボート用のスクリュー並びに方向舵を備えていることが好ましい。
【発明の効果】
【００１３】
以上のごとき課題を解決するための手段から理解されるように、この発明によれば、ボート兼用シェルタベッドは、平時は一般的なベッドとして使用されるが、水害などで家屋が浸水したときは、浮力部により確実に水面に浮かぶと共に浮力部が舟型形状をしているので推進性が良く、また、両側の脚部とマット部材と舟型形状の浮力部とから幅方向で断面がほぼＭ字形状をなしているので、水面に浮かんだときに横揺れを少なく安定させることができる。
【００１４】
また、地震等の災害時には、病人や身体障害者がベッドに寝たままの状態で直ぐにシェルタ部によりマット部材の上方を覆うことができるので、落下する瓦礫から安全に身を守ることができる。
【発明を実施するための最良の形態】
【００１５】
以下、この発明の実施の形態について図面を参照して説明する。
【００１６】
図１ないしは図４を参照するに、第１の実施の形態に係るボート兼用シェルタベッド１は、ベッド本体３が少なくとも１名が横臥できる大きさの長方形をなすマット部材５と、このマット部材５の幅方向の下部の両側に設けられ、平面視にて矩形形状で上下方向へ延伸された脚部７と、から構成されている。さらに、上記の両側の脚部７の間で、且つ前記マット部材５の下面には舟型形状すなわち断面がほぼＶ字形状の浮力部９が設けられている。したがって、上記の両側の脚部７とマット部材５と浮力部９と、から幅方向で断面がほぼＭ字形状に一体的に構成されている。
【００１７】
なお、上記の浮力部９は、例えば発泡スチロール等の浮力の大きい発泡樹脂剤や、空気袋（浮き袋）などで構成される。
【００１８】
また、前記ベッド本体３には、前記マット部材５の上方を覆うシェルタ部１１が前記マット部材５の上方の覆った状態を開放できるように移動自在に設けられている。
【００１９】
この第１の実施の形態では、前記シェルタ部１１が、山形を形成する２つの平板状をなす分割屋根部材１３で構成されている。この分割屋根部材１３は、例えば強化プラスチック等の樹脂板材やステンレスなどの金属板材などで構成されている。
【００２０】
一方、前記各脚部７には、前記各分割屋根部材１３を収納するシェルタ収納部１５が設けられており、このシェルタ収納部１５および前記マット部材５の左右端の上部には各分割屋根部材１３を挿入するための開口部１７が形成されている。
【００２１】
また、平板状の前、後衝立部１９，２１が前記マット部材５の前後に設けられており、前、後衝立部１９，２１の互いに対向する内側の面には２つの分割屋根部材１３をガイドするためのガイド溝部２３が山形形状に設けられている。
【００２２】
さらに、２つの前記分割屋根部材１３は、前記シェルタ収納部１５の内部と、前記マット部材５の上方で２つの前記分割屋根部材１３が山形に形成される停止位置との間を移動自在に設けられている。例えば、前、後衝立部１９，２１が厚み方向に図示しない空間部を有しており、この空間部には、図４の左側の２点鎖線で示されているように、２つの分割屋根部材１３を移動せしめるシェルタ駆動部２５が設けられている。このシェルタ駆動部２５は、例えば複数のスプロケット２７とこの複数のスプロケット２７に無端環状に噛合したチェーン２９と、このチェーン２９を正逆方向に回転せしめる図示しないモータなどの回転駆動部と、から構成されており、このシェルタ駆動部２５は前衝立部１９の左右に２つと後衝立部２１の左右に２つで、合計４つのシェルタ駆動部２５が設けられている。なお、図４の左側の２点鎖線のシェルタ駆動部２５は上記の４つのシェルタ駆動部２５を代表して示したものであり、他のシェルタ駆動部２５は同様の構成である。
【００２３】
また、２つの各分割屋根部材１３における前後の上端部には図示省略の連結シャフトを介して連結部材が取り付けられ、この各連結部材がそれぞれ前記各シェルタ駆動部２５のチェーン２９に連結されている。したがって、例えば図４に示されているように、回転駆動部によりチェーン２９を正回転（図４では時計回り方向に回転）せしめると、シェルタ収納部１５の内部に収納されている分割屋根部材１３が図４の２点鎖線で示されているように上方へ引き上げられてから山形形状のガイド溝部２３の頂点部へ移動される。分割屋根部材１３の下端はガイド溝部２３に沿って案内される。以上のようにして２つの各分割屋根部材１３は図１（Ｂ）及び図４の２点鎖線のハッチングで示されているように、マット部材５の上方を覆うように山形の屋根に形成されるべく、各ガイド溝部２３の上端の停止位置で停止する。
【００２４】
また、図４に示されているように、上記の回転駆動部によりチェーン２９を逆回転（図４では反時計回り方向に回転）せしめると、分割屋根部材１３が上記の正回転とは逆の動作でガイド溝部２３にガイドされて移動し、ついにはシェルタ収納部１５の内部に収納される。
【００２５】
なお、上記のシェルタ駆動部２５の構成は一例を示すものであり、これに限定されず、他の構成であっても良い。
【００２６】
また、上記のベッド本体３には、例えば地震などによる振動を検知する図示しない振動検知装置が設けられており、予め設定した震度以上の振動が生じたときに前記振動検知装置で検知したデータに基づいて図示しない制御装置により指令が与えられ、シェルタ駆動部２５の回転駆動部が正回転して２つの分割屋根部材１３が例えば自動的に移動してマット部材５の上方に山形屋根が形成されるように構成されている。
【００２７】
また、浮力部９の後部には、図示しない蓄電池とモータがスクリュー駆動室３１内に内蔵されており、前記モータの駆動軸には浮力部９の後部より後方に突設されたボート用のスクリュー３３が直結されており、さらに、方向舵３５が前記スクリュー３３より後方側に位置して浮力部９の後部に設けられている。なお、上記のスクリュー３３は制御装置により回転速度等が制御されるように構成されており、ベッド本体３の一区画には前記スクリュー３３の回転速度や方向舵３５の運転操作を行うための図示しない運転操作盤が設けられている。
【００２８】
上記構成により、第１の実施の形態のボート兼用シェルタベッド１の動作について説明する。
【００２９】
平時は、シェルタ部１１、すなわち２つの分割屋根部材１３は、両側の脚部７に設けたシェルタ収納部１５の内部に収納されており、図１（Ａ）に示されているように通常のベッドとして使用される。
【００３０】
もし、地震や洪水などの災害が生じ、予め設定した震度以上の振動が生じたとき、振動検知装置で検知した検知信号により制御装置ではシェルタ駆動部２５の回転駆動部を正回転する指令を与え、２つの分割屋根部材１３が例えば自動的に移動してマット部材５の上方に山形屋根、つまりシェルタが形成される。したがって、障害者や病人などのように自力で避難できない場合であっても、上記の地震のために家屋の一部が落下する瓦礫から即座に身を守ることができる。
【００３１】
さらに、洪水などのために家屋が浸水するような水災害が生じたときは、ボート兼用シェルタベッド１はマット部材５の下面に設けた舟型形状の浮力部９により水面に浮くので、即座にボートに早変わりする。しかも、両側の脚部７とマット部材５とＶ字形状の浮力部９とから幅方向で断面がほぼＭ字形状に形成されているので、水面に浮いたときの横揺れが少なく安定している。また、浮力部９の後部にボート用のスクリュー３３と方向舵３５が設けられているので、運転操作盤で操作することにより、ボート兼用シェルタベッド１に寝ている人を安全な場所へ容易に移動させて緊急避難することができる。
【００３２】
次に、この発明の第２の実施の形態のボート兼用シェルタベッド３７について説明する。なお、前述した第１の実施の形態のボート兼用シェルタベッド１と同様の部材は同符号を付して詳しい説明は省略する。
【００３３】
図５及び図６を参照するに、ボート兼用シェルタベッド３７は、前述した第１の実施の形態と同様に、両側の脚部７とマット部材５と断面がＶ字形状の浮力部９とから断面がほぼＭ字形状に一体的に構成されている。
【００３４】
さらに、シェルタ部３９は、例えば、透明又は半透明の強化プラスチック等の樹脂板材により半割円筒形状をなしている。この半割形状のシェルタ部３９はその長手方向の一側縁側が一方の脚部７例えば図６において左側の脚部７の側縁にヒンジ部４１を介して開閉自在に設けられている。なお、このシェルタ部３９は、開閉動作を手動で行うように構成しても良いが、例えば上記のヒンジ部４１の回動する側のヒンジ部材にクランク部を直結し、このクランク部を介してシリンダ等の駆動手段によりシェルタ部３９が自動的に回転駆動されるように構成したり、あるいは、上記の回動する側のヒンジ部材に歯車機構を直結し、この歯車機構を回転せしめるモータなどの回転駆動装置によりシェルタ部３９が自動的に回転駆動されるように構成したり、あるいはその他の方法で前記シェルタ部３９を自動的に開閉することができる。
【００３５】
なお、浮力部９の後部のボート用のスクリュー３３や方向舵３５及びその運転操作盤等は、第１の実施の形態と同様の構成である。
【００３６】
なお、第２の実施の形態のボート兼用シェルタベッド３７の動作については、シェルタ部３９以外は第１の実施の形態とほぼ同様であるので説明は省略する。
【００３７】
次に、この発明の第３の実施の形態のボート兼用シェルタベッド４３について説明する。なお、前述した第１の実施の形態のボート兼用シェルタベッド１と同様の部材は同符号を付して詳しい説明は省略する。
【００３８】
図７及び図８を参照するに、ボート兼用シェルタベッド４３は、前述した第１の実施の形態と同様に、両側の脚部７とマット部材５と浮力部９とから幅方向で断面Ｍ字形状に一体的に構成されている。
【００３９】
さらに、シェルタ部４５は、例えば、透明又は半透明の強化プラスチック等の樹脂板材により半割円筒形状をなしている。この半割円筒形状のシェルタ部４５の長手方向の一側辺側から挿入して収納するシェルタ収納部４７が、前記マット部材５の幅方向の一側縁側から前記浮力部９の下側の外周に設けられており、前記マット部材５の一側縁には前記シェルタ部４５を挿入するための開口部４９が前記シェルタ収納部４７の上部に形成されている。
【００４０】
また、平板状の前、後衝立部１９，２１が前記マット部材５の前後に設けられており、前、後衝立部１９，２１の互いに対向する内側の面には、例えば図８に示されているように半割円筒形状のシェルタ部４５をガイドするためのガイド溝部５１が半円形状に設けられている。
【００４１】
さらに、半割円筒形状のシェルタ部４５は、前記シェルタ収納部４７の内部と、シェルタ部４５がマット部材５の上方を覆う位置との間を例えば自動的に移動自在に設けられている。例えば、図８に示されているように、シェルタ部４５を移動せしめる図示しないシェルタ駆動部が設けられている。このシェルタ駆動部としては、例えばシェルタ部４５の半割円筒形状の長手方向の両端側の内面にラックを設けると共にこのラックに噛合するピニオンとこのピニオンを回転駆動するモータ等の回転駆動装置がマット部材５の下面側に設けられている。
【００４２】
なお、上記のシェルタ駆動部は一例を示すものであり、これに限定されず、他の構成であっても良い。
【００４３】
なお、浮力部９の後部のボート用のスクリュー３３や方向舵３５及びその運転操作盤等は、第１の実施の形態と同様の構成である。
【００４４】
なお、第３の実施の形態のボート兼用シェルタベッド４３の動作については、シェルタ部４５以外は第１の実施の形態とほぼ同様であるので説明は省略する。
【図面の簡単な説明】
【００４５】
【図１】（Ａ）は、この発明の第１の実施の形態のボート兼用シェルタベッドを示すもので、シェルタ部を収納している状態の斜視図であり、（Ｂ）は、シェルタ部を動作した状態の斜視図である。
【図２】図１において手前側の脚部を省略した状態の正面図である。
【図３】図２の矢視ＩＩＩ−ＩＩＩ線の断面図である。
【図４】図２の矢視ＩＶ−ＩＶ線の断面図である。
【図５】この発明の第２の実施の形態のボート兼用シェルタベッドの斜視図である。
【図６】図５の左側から視た側面図である。
【図７】この発明の第３の実施の形態のボート兼用シェルタベッドの斜視図である。
【図８】図７の左側から視て前衝立部を省略した状態の側面図である。
【符号の説明】
【００４６】
１  ボート兼用シェルタベッド（第１の実施の形態の）
３  ベッド本体
５  マット部材
７  脚部
９  浮力部
１１  シェルタ部（第１の実施の形態の）
１３  分割屋根部材
１５  シェルタ収納部
１９  前衝立部
２１  後衝立部
２３  ガイド溝部
２５  シェルタ駆動部
３１  スクリュー駆動室
３３  スクリュー
３５  方向舵
３７  ボート兼用シェルタベッド（第２の実施の形態の）
３９  シェルタ部（第２の実施の形態の）
４１  ヒンジ部
４３  ボート兼用シェルタベッド（第３の実施の形態の）
４５  シェルタ部（第３の実施の形態の）
４７  シェルタ収納部
５１  ガイド溝部
【図１】
2007222320.tif 000003
【図２】
2007222320.tif 000004
【図３】
2007222320.tif 000005
【図４】
2007222320.tif 000006
【図５】
2007222320.tif 000007
【図６】
2007222320.tif 000008
【図７】
2007222320.tif 000009
【図８】
2007222320.tif 000010